(57)【要約】【課題】ガスボンベを交換する際にもマフラに手が触れてしまうことを防止することで、安全性を向上することが可能な歩行型農作業機を提供する。【解決手段】作業機１は、ガスエンジン６の上部前方側にガスボンベ８を取り付けるボンベ支持部１２と、該ボンベ支持部１２の後方側にマフラ１５と、該マフラ１５の上方を覆うマフラガード２０とを備えており、操作者がガスボンベ８を交換する際にあっても誤ってマフラ１５に手を触れてしまうことを防止することができる。【選択図】図１
2010089650.tif 000002
【特許請求の範囲】
【請求項１】
ガスボンベの燃料ガスを燃料とするガスエンジンを搭載した歩行型農作業機において、
前記ガスエンジンの上部前方側に配置されると共に前記ガスボンベを取り付ける取付部と、
前記取付部の後方側に配置されたマフラと、
前記マフラの上方を覆う接触防止手段と、を備えてなる、
ことを特徴とする歩行型農作業機。
【請求項２】
前記ガスエンジンは、クランクケースを備え、
前記接触防止手段は、前記クランクケースに固定されてなる、
ことを特徴とする請求項１記載の歩行型農作業機。
【発明の詳細な説明】
【技術分野】
【０００１】
本発明は、耕耘機等の歩行型農作業機に係り、詳しくは、ガスボンベの燃料ガスを燃料とするガスエンジンを搭載した歩行型農作業機に関する。
【背景技術】
【０００２】
従来、歩行型農作業機においては、ガスエンジンを駆動源として搭載したものが案出されている（例えば、特許文献１参照）。このものは、例えば携帯コンロ用の小型ガスボンベに充填されたプロパンガス等を燃料として使用し得るように構成されており、燃料補給など取扱い操作性の向上が図られている。
【０００３】
【特許文献１】特開平１１−１７０８７６号公報
【発明の開示】
【発明が解決しようとする課題】
【０００４】
ところで、一般に、歩行型農作業機は、機体上部に高温となるマフラが配置されている場合であっても、熟練した作業者が操作することが多く、マフラの上方を覆うことで該マフラへの接触を防止するための接触防止手段を設けていなかった。
【０００５】
しかし、近年、上記特許文献１のような、燃料の取扱い操作性が良好となった歩行型農作業機が、未熟練者によって使用される機会が増加することが考えられ、この際、該歩行型農作業機が上記のように機体上部にマフラを配置していた場合、機体を押さえながらガスボンベを交換する際に、手を置きやすい位置にマフラがあるため、高温となったマフラに手を触れてしまう危険性があるという問題があった。
【０００６】
そこで本発明は、ガスボンベを交換する際にもマフラに手が触れてしまうことを防止することで、安全性を向上することが可能な歩行型農作業機を提供することを目的とする。
【課題を解決するための手段】
【０００７】
請求項１に係る本発明は（例えば図１乃至図３参照）、ガスボンベ（８）の燃料ガスを燃料とするガスエンジン（６）を搭載した歩行型農作業機（１）において、
前記ガスエンジン（６）の上部前方側に配置されると共に前記ガスボンベ（８）を取り付ける取付部（１２）と、
前記取付部（１２）の後方側に配置されたマフラ（１５）と、
前記マフラ（１５）の上方を覆う接触防止手段（２０）と、を備えてなる、
ことを特徴とする歩行型農作業機（１）にある。
【０００８】
請求項２に係る本発明は（例えば図３参照）、前記ガスエンジン（６）は、クランクケース（６ａ）を備え、
前記接触防止手段（２０）は、前記クランクケース（６ａ）に固定されてなる、
ことを特徴とする請求項１記載の歩行型農作業機（１）にある。
【０００９】
なお、上記カッコ内の符号は、図面と対照するためのものであるが、これは、発明の理解を容易にするための便宜的なものであり、特許請求の範囲の構成に何等影響を及ぼすものではない。
【発明の効果】
【００１０】
請求項１に係る本発明によると、マフラの上方を覆う接触防止手段を備えたので、例えば未熟練者がガスボンベを交換する際にあっても、誤ってマフラに手を触れてしまうことを防止することができて、安全性の向上を図ることができる。
【００１１】
請求項２に係る本発明によると、接触防止手段は、クランクケースに固定されているので、マフラ等からの熱を接触防止手段に伝達しにくくすることができる。また、接触防止手段を押さえることで機体を安定した状態にすることができ、例えばガスボンベの交換の際にも、安定した状態で交換作業を行うことができ、作業効率を向上させることができる。
【発明を実施するための最良の形態】
【００１２】
以下、本発明に係る実施の形態を図１乃至図３に沿って説明する。
【００１３】
歩行型農作業機としての作業機１は、図１及び図２に示すように、上下方向に傾斜して配置されると共に、耕耘爪等の回転体２を回転駆動可能に支持する回転軸（車軸）２ａを左右に軸支するミッションケース３と、該ミッションケース３に固定され、後方側（図中右方側）となるにつれて上方側に延びる二股状のハンドル４と、該ミッションケース３に固定された機台フレーム５に搭載された後述するガスエンジン６とを備えて構成されている。なお、本実施の形態に係る作業機１は、回転体２が複数の耕耘爪２ｂからなる車軸装着型のロータリ耕耘体としている。
【００１４】
また、ミッションケース３の後方側には、耕耘作業時に地中に没しておくことで機体の作業姿勢を安定させる耕耘抵抗棒１１が取り付けられている。さらに、該耕耘抵抗棒１１は、作業機１の立姿勢を保持するスタンドにすることもできる。
【００１５】
上記ハンドル４は、左右両端部に握持部４ｂ，４ｂを備えており、操作者が握持することで作業機１の走行方向を操作し得るように構成されている。また、左側の握持部４ｂの前方には、後述する主クラッチを操作する主クラッチレバー９が配置されており、操作者が握持部４ｂを握持する際に一緒に握持することで主クラッチの入り操作となるように構成されている。さらに、右側の握持部４ｂの前方にはアクセルレバー１０が配置されており、操作者は、握持部４ｂを握持したまま該アクセルレバー１０を操作し得るように構成されている。また、ハンドル４は、中間部分に備えられた回動支持部４ａによって先端側部分が回動可能に構成されており、該回動支持部４ａから先端部分を回動させ、ハンドル４を折り畳むことで作業機１をコンパクトにして運搬等が容易に行えるようになっている。
【００１６】
上記ガスエンジン６は、ベルトカバー７内にベルト伝動機構（不図示）を備えており、該ベルト伝動機構によってエンジン出力軸の回転駆動力が、ミッションケース３内の入力軸に伝達される。該ベルト伝動機構には、ガスエンジン６の回転駆動力の伝達を入り切り切り換えするベルトテンションクラッチ（不図示）が備えられており、上述したハンドル４に配置された主クラッチレバー９の操作によってガスエンジン６の回転駆動力の伝達を入り切り切り換えできるように構成されている。
【００１７】
また、ガスエンジン６は、後述するボンベ支持部（取付部）１２に着脱可能に支持されるカセット型のガスボンベ８（図２参照）から供給されるプロパンガス（燃料ガス）を燃料として運転し得るように構成されている。なお、ガスエンジン６は、携帯用ガスコンロ等に使用され、一般的に市販されている小型のガスボンベを、本実施の形態のガスボンベ８として用いることができるようになっており、農作業機の操作の未熟練者にとっても燃料の保管や補給等の取扱いが容易になっている。
【００１８】
一方、上記ボンベ支持部１２は、ガスエンジン６の上部前方側に配置され、機体左右方向に沿って横置きにガスボンベ８を収納するボンベケース１２ａと、該ボンベケース１２ａを支持する支持部材１２ｂとによって構成されている。該支持部材１２ｂは、下方向きに突設された支持脚１３ａ、支持脚１３ｂ、及び支持脚１３ｃによってガスエンジン６のクランクケース６ａに対して固定支持されている。詳しくは、支持脚１３ａは、連結部材１４ａを介してクランクケース６ａに固定されており、支持脚１３ｂは、クランクケース６ａに固定された連結部材１４ｂとボルトＡによって固定され、支持脚１３ｃは直接クランクケース６ａに固定されている（図３も併せて参照）。
【００１９】
また、支持部材１２ｂには、前方側にボンベケース１２ａを保護するためのバンパ部材２５が取付ねじ３２によって固定されており、後方側に空間部カバー２６が取付ねじ３１によって固定されている。該空間部カバー２６は、ボンベ支持部１２及びマフラ１５の間に形成された遮熱用の空間と、ガスエンジン６の上部に設けられた各種の操作用部材等とを保護するため、ボンベ支持部１２及びマフラ１５の間の上部と、左右両側面とを覆うように配置されている。
【００２０】
さらに、ガスエンジン６には、該ガスエンジン６から排出される排気ガスを外部に放出するマフラ１５が、ガスエンジン６の上部後方側に取り付けられている。該マフラ１５は、機体左右方向に沿って横置きに配置されており、ガスエンジン６の右側方から排出された排気ガスは、排気管を介してマフラ１５の右側方から入り、機体左側方に設けられた排出口１５ａから放出される。なお、マフラ１５には、該マフラ１５の上面、左右側面、及び後面を覆うマフラカバー１５ｂが配置されているが、該マフラカバー１５ｂは、マフラ１５本体に接触して配置されているため、該マフラ１５本体の保護をしているのみで遮熱はしていない。
【００２１】
なお、ガスエンジン６の下面側には、泥土の上方への跳ね上がりを防止するフェンダ１６が取り付けられており、また、ガスエンジン６の機体左右方向の右側面には、リコイルスタータ１７が設けられている。
【００２２】
次に、本発明の要部であるマフラガード（接触防止手段）２０について、図３に沿って説明する。
【００２３】
マフラガード２０は、ガードパイプ２０ａと、接続部材２０ｂと、固定部材２０ｃとによって構成されており、該ガードパイプ２０ａがマフラ１５の上方を覆うように配置され、例えば操作者の手がマフラ１５に直接触れることを防止するように構成されている。ガードパイプ２０ａは、断面が円形となる棒状のパイプ材を、平面視でＵ字状かつ側面視で鉤状となるように曲げることで形成されている。また、ガードパイプ２０ａの中央部分には、該ガードパイプ２０ａと同様にパイプ材を、ガードパイプ２０ａとは逆向きのＵ字状に曲げて形成された小ガード２０ｄが固着されている（図２参照）。
【００２４】
接続部材２０ｂは、正面視で門形状となるように形成されており、中央部分においてガードパイプ２０ａ及び固定部材２０ｃが溶接等によって固着されている。また、接続部材２０ｂの左右両端部は、側面視で上下方向に傾斜するように形成され、上記支持脚１３ｂと連結部材１４ｂと共にボルトＡによって固定されている。つまり、接続部材２０ｂはクランクケース６ａに対して固定されており、即ちマフラガード２０がクランクケース６ａに対して固定されている。固定部材２０ｃは、側面視逆Ｌ字状に形成された部材であり、上記支持部材１２ｂと空間部カバー２６と共に取付ねじ３１によって固定されている。なお、接続部材２０ｂ及び固定部材２０ｃは、溶接等で固着されるように説明したが、例えばプレス加工等によって一体に形成されたものであっても良いことは勿論である。
【００２５】
以上のように本発明に係る作業機１は、マフラ１５の上方を覆うマフラガード２０を備えたので、例えば未熟練者がガスボンベ８を交換する際にあっても、誤ってマフラ１５に手を触れてしまうことを防止することができて、安全性の向上を図ることができる。
【００２６】
また、マフラガード２０は、クランクケース６ａに固定されているので、マフラ１５等からの熱をマフラガード２０に伝達しにくくすることができる。また、マフラガード２０を押さえることで作業機１を安定した状態にすることができ、例えばガスボンベ８の交換の際にも、安定した状態で交換作業を行うことができ、作業効率を向上させることができる。
【００２７】
なお、マフラガード２０は、マフラ１５の上方を覆う部分を、曲げたパイプによって形成されたガードパイプ２０ａであるように説明したが、例えば板状に形成した部材によってマフラ１５の上方を覆うようにして、操作者の手等が接触することを防止するようにしても本発明を適用することができる。
【図面の簡単な説明】
【００２８】
【図１】本実施の形態に係る作業機を示す側面図。
【図２】作業機を示す平面図。
【図３】接触防止手段部分を示す側面図。
【符号の説明】
【００２９】
１        歩行型農作業機（作業機）
６        ガスエンジン
６ａ      クランクケース
８        ガスボンベ
１２      取付部（ボンベ支持部）
１５      マフラ
２０      接触防止手段（マフラガード）
【図１】
2010089650.tif 000003
【図２】
2010089650.tif 000004
【図３】
2010089650.tif 000005